(57)【特許請求の範囲】
【請求項１】
所定周波数を中心として所定帯域幅となるように設定されたフィルタに対して、前記帯域幅だけの周波数差を有する第１と第２の周波数信号を発振手段でそれぞれ発生させ、前記第１と第２の周波数信号が前記フィルタを通過した出力信号の大きさをパワー検出手段でそれぞれに検出し、これらの前記第１と第２の周波数信号の出力信号の大きさを比較手段で比較し、中央演算手段で前記発振手段を制御して前記第１と第２の周波数信号の一方が前記帯域幅外となる状態から前記所定帯域幅の中心方向に周波数を順次に変更させ、前記比較手段による比較結果が反転すると、前記中央演算手段は前記反転直前または反転した前記第１と第２の周波数信号を前記所定帯域幅の両側の帯域端周波数として検出するように構成したことを特徴とするフィルタの所定帯域幅の帯域端周波数検出装置。
【請求項２】
請求項１記載のフィルタの所定帯域幅の帯域端周波数検出装置において、前記中央演算手段で、前記発振手段を前記第１と第２の周波数信号を所定周波数から所定周波数幅で順次に変更させて発生させるように制御するとともに、前記反転直前または反転した前記第１と第２の周波数信号の変更したステップ数に応じたデータを記憶手段に記憶させるように構成したことを特徴とするフィルタの所定帯域幅の帯域端周波数検出装置。
【請求項３】
請求項１記載のフィルタの所定帯域幅の帯域端周波数検出装置において、前記中央演算手段で、前記所定帯域幅の両側の帯域端周波数として検出された前記第１と第２の周波数信号から中心の周波数を演算により求め、この周波数を前記フィルタの所定帯域幅の中心周波数として検出するように構成したことを特徴とするフィルタの所定帯域幅の帯域端周波数検出装置。
【請求項４】
発振手段から発生される搬送波周波数信号をマイク入力信号で振幅変調し、この変調信号から狭い通過帯域幅のフィルタで一方のサイドバンドを抽出し、この抽出信号に局部発振手段で発生される局部発振信号を混合して所定周波数の無線周波数信号とするＳＳＢ送信機において、予め前記請求項１記載のフィルタの所定帯域幅の帯域端周波数検出装置によって、前記搬送波周波数信号を前記第１と第２の周波数信号として、前記狭い通過帯域幅のフィルタの所定帯域幅の両側の帯域端周波数を検出し、さらに前記請求項１の中央演算手段は、前記帯域端周波数に応じて前記発振手段で前記搬送波周波数信号を制御発生させるとともに、前記局部発振手段で前記無線周波数信号が前記所定周波数となるように前記局部発振信号を制御発生させるように構成したことを特徴とするＳＳＢ送信機。
【請求項５】
発振手段から発生される搬送波周波数信号をマイク入力信号で振幅変調し、この変調信号から狭い通過帯域幅のフィルタで一方のサイドバンドを抽出し、この抽出信号に局部発振手段で発生される局部発振信号を混合して所定周波数の無線周波数信号とするＳＳＢ送信機において、予め前記請求項２記載のフィルタの所定帯域幅の帯域端周波数検出装置によって、前記搬送波周波数信号を前記第１と第２の周波数信号として、前記狭い通過帯域幅のフィルタの所定帯域幅の両側の帯域端周波数を検出するとともにこれらに応じたデータを記憶手段に記憶させ、さらに前記請求項２の中央演算手段は、前記記憶手段から前記データを読み出し、前記データから前記帯域端周波数に応じて前記発振手段で前記搬送波周波数信号を制御発生させるとともに、前記局部発振手段で前記無線周波数信号が前記所定周波数となるように前記局部発振信号を制御発生させるように構成したことを特徴とするＳＳＢ送信機。
【請求項６】
受信された受信信号に局部発振手段で発生される局部発振信号を混合して周波数変換し、この周波数変換された信号から狭い通過帯域幅のフィルタで一方のサイドバンドを抽出し、この抽出信号を復調手段で復調用周波数発振手段で発生される復調用周波数信号と混合して前記抽出されたサイドバンドを復調するＳＳＢ受信機において、予め前記請求項１記載のフィルタの所定帯域幅の帯域端周波数検出装置により、標準信号発生手段から送信される標準信号を受信するとともにこれと混合する前記局部発振信号を調整して周波数変換された信号を前記第１と第２の周波数信号として、前記狭い通過帯域幅のフィルタの所定帯域幅の両側の帯域端周波数を検出し、さらに前記請求項１の中央演算手段は、前記帯域端周波数に応じて前記局部発振手段で前記局部発振信号を制御発生させるとともに、前記復調用周波数発振手段で前記復調用周波数信号を制御発生させるように構成したことを特徴とするＳＳＢ受信機。
【請求項７】
受信された受信信号に局部発振手段で発生される局部発振信号を混合して周波数変換し、この周波数変換された信号から狭い通過帯域幅のフィルタで一方のサイドバンドを抽出し、この抽出信号を復調手段で復調用周波数発振手段で発生される復調用周波数信号と混合して前記抽出されたサイドバンドを復調するＳＳＢ受信機において、予め前記請求項２記載のフィルタの所定帯域幅の帯域端周波数検出装置により、標準信号発生手段から送信される標準信号を受信するとともにこれと混合する前記局部発振信号を調整して周波数変換された信号を前記第１と第２の周波数信号として、前記狭い通過帯域幅のフィルタの所定帯域幅の両側の帯域端周波数を検出するとともにこれらに応じたデータを記憶手段に記憶させ、さらに前記請求項２の中央演算手段は、前記記憶手段から前記データを読み出し、前記データから前記帯域端周波数に応じて前記局部発振手段で前記局部発振信号を制御発生させるとともに、前記復調用周波数発振手段で前記復調用周波数信号を制御発生させるように構成したことを特徴とするＳＳＢ受信機。
【請求項８】
請求項６または７記載のＳＳＢ受信機において、前記標準信号を受信することなしに、前記局部発振手段で発生される前記局部発振信号をそのまままたは周波数変換して前記狭い通過帯域幅のフィルタに与えるようになし、この信号を前記帯域端周波数検出装置は前記第１と第２の周波数信号として前記狭い通過帯域幅のフィルタの所定帯域幅の両側の帯域端周波数を検出するように構成したことを特徴とするＳＳＢ受信機。
【発明の詳細な説明】
【０００１】
【発明の属する技術分野】
本発明は、フィルタの実際の特性から所定帯域幅で上下両側の帯域端で同じ減衰量となる周波数を検出する装置に関するものであり、また当該装置を用いてＵＳＢとＬＳＢの音質の違いがないようにしたＳＳＢ送信機およびＳＳＢ受信機に関するものである。
【０００２】
【従来の技術】
ＳＳＢ送信機にあっては、発振手段から発生される搬送波周波数信号が、マイク入力信号により平衡変調器で振幅変調され、この変調信号から狭い通過帯域幅のフィルタでＵＳＢまたはＬＳＢの一方のサイドバンドが抽出される。さらに、この抽出信号に混合器で局部発振信号を混合し、この混合信号から比較的に広い通過帯域幅のフィルタで所定周波数の無線周波数信号が抽出される。この無線周波数信号が励振増幅器および電力増幅器で適宜に増幅されてアンテナから送信される。
【０００３】
ここで、狭い通過帯域幅のフィルタの実際の特性が設計値からずれていると、フィルタにおける所定の帯域幅の周波数位置がずれることとなる。そこで、発振手段から発生される搬送波周波数信号が、設計上は狭い通過帯域幅のフィルタでＵＳＢまたはＬＳＢを抽出するのに適した値であっても、実際上の狭い通過帯域幅のフィルタの特性の設計値からのずれによって抽出されるＵＳＢとＬＳＢの周波数帯域が搬送波周波数に対して対称でなくなる。この結果、ＳＳＢ受信機側で復調された音声は、ＵＳＢとＬＳＢで音質が相違する。
【０００４】
また、ＳＳＢ受信機にあっては、アンテナで受信された所望の周波数の受信信号が適宜に周波数変換され、この周波数変換された信号から狭い通過帯域幅のフィルタでＵＳＢまたはＬＳＢの一方が抽出される。そして、この抽出信号が復調器で復調されて低周波増幅器で増幅されてスピーカーより拡声される。
【０００５】
ここで、狭い通過帯域幅のフィルタの実際の特性が設計値よりずれていると、受信周波数を周波数変換するために混合される局部発振信号の周波数が適正であっても、フィルタで実際に抽出される周波数帯域は、ＵＳＢとＬＳＢとで後段の復調器で復調するための復調用周波数信号に対して対称でなくなる。この結果、復調拡声される音声は、ＵＳＢとＬＳＢで音質が相違したものとなる。
【０００６】
かかる不具合を改善する技術として、ＳＳＢ送信機において、狭い通過帯域幅のフィルタの実際の特性に合わせて搬送波周波数信号を発生させ、狭い通過帯域幅のフィルタから抽出された信号に混合される局部発振信号を調整して所定の無線周波数信号を得るようにすれば良い。この搬送波周波数信号を調整するためには、狭い通過帯域幅のフィルタの実際の特性を予め知る必要がある。また、ＳＳＢ受信機にあっては、狭い通過帯域幅のフィルタの実際の特性に合わせて、受信周波数を周波数変換する局部発振信号を発生させ、狭い通過帯域幅のフィルタから抽出された信号を復調するための復調器の復調用周波数信号を適宜に調整すれば良い。この局部発振信号を調整するためには、ＳＳＢ送信機と同様に、狭い通過帯域幅のフィルタの実際の特性を予め知る必要がある。そこで、フィルタの周波数特性を検出する技術の一例として、特公平２−４１７５号公報に示された技術がある。
【０００７】
特公平２−４１７５号公報に示される技術を簡単に説明すれば、以下のごときものである。すなわち、フィルタに与えるマーカ周波数信号を順次に変化させ、フィルタを通過する出力信号が消滅するのを判別して通過帯域端を検出し、フィルタの上下両側の通過帯域端をそれぞれに検出する。そして、これらの両側の通過帯域端の周波数の中央の値をフィルタの中心周波数として特定する。そこで、該中心周波数を中心とした所定の通過帯域幅の特性をフィルタが有するものとして、搬送波周波数信号等を調整すれば良い。
【０００８】
【発明が解決しようとする課題】
上述のフィルタの実際の特性を検出する技術にあっては、検出された中心周波数に対して上下の周波数特性が対称であれば、何んら不具合は生じない。しかるに、中心周波数に対して上下の周波数特性が対称でない場合、すなわち肩特性が異なる場合には、以下のごとき重大な不具合を生じる。
【０００９】
例えば、フィルタの実際の通過特性が上述のごとくして定められた中心周波数に対して、上側は緩やかに減衰し下側で急峻に減衰する場合等では、肩特性が異なるために、上記中心周波数から同じ周波数だけずれた上下の通過帯域端の減衰量が相違する。そこで、該フィルタで抽出されたＵＳＢおよびＬＳＢの信号の周波数特性が相違し、結果的に受信側の音質の違いの原因となる。
【００１０】
本発明は、上述のごとき事情に鑑みてなされたもので、フィルタの実際の特性から所定帯域幅で上下両側の帯域端で同じ減衰量となる周波数を検出するフィルタの所定帯域幅の帯域端周波数検出装置を提供することを目的とする。そして、フィルタの上下両側の帯域端で同じ減衰量となる所定帯域幅端の周波数を予め検出し、これに応じて搬送波周波数信号を調整するとともに局部発振信号を調整するようにしたＳＳＢ送信機を提供することを目的とする。また、フィルタの上下両側の帯域端で同じ減衰量となる所定帯域幅端の周波数を予め検出し、これに応じて受信周波数を周波数変換するための局部発振信号を調整するとともに、復調用周波数信号を調整するようにしたＳＳＢ受信機を提供することを目的とする。
【００１１】
【課題を解決するための手段】
かかる目的を達成するために、本発明のフィルタの所定帯域幅の帯域端周波数検出装置は、所定周波数を中心として所定帯域幅となるように設定されたフィルタに対して、前記帯域幅だけの周波数差を有する第１と第２の周波数信号を発振手段でそれぞれ発生させ、前記第１と第２の周波数信号が前記フィルタを通過した出力信号の大きさをパワー検出手段でそれぞれに検出し、これらの前記第１と第２の周波数信号の出力信号の大きさを比較手段で比較し、中央演算手段で前記発振手段を制御して前記第１と第２の周波数信号の一方が前記帯域幅外となる状態から前記所定帯域幅の中心方向に周波数を順次に変更させ、前記比較手段による比較結果が反転すると、前記中央演算手段は前記反転直前または反転した前記第１と第２の周波数信号を前記所定帯域幅の両側の帯域端周波数として検出するように構成されている。
【００１２】
そして、前記中央演算手段で、前記発振手段を前記第１と第２の周波数信号を所定周波数から所定周波数幅で順次に変更させて発生させるように制御するとともに、前記反転直前または反転した前記第１と第２の周波数信号の変更したステップ数に応じたデータを記憶手段に記憶させるように構成しても良い。
【００１３】
さらに、前記中央演算手段で、前記所定帯域幅の両側の帯域端周波数として検出された前記第１と第２の周波数信号から中心の周波数を演算により求め、この周波数を前記フィルタの所定帯域幅の中心周波数として検出するように構成することもできる。
【００１４】
また、本発明のＳＳＢ送信機は、発振手段から発生される搬送波周波数信号をマイク入力信号で振幅変調し、この変調信号から狭い通過帯域幅のフィルタで一方のサイドバンドを抽出し、この抽出信号に局部発振手段で発生される局部発振信号を混合して所定周波数の無線周波数信号とするＳＳＢ送信機において、予め前記請求項１記載のフィルタの所定帯域幅の帯域端周波数検出装置によって、前記搬送波周波数信号を前記第１と第２の周波数信号として、前記狭い通過帯域幅のフィルタの所定帯域幅の両側の帯域端周波数を検出し、さらに前記請求項１の中央演算手段は、前記帯域端周波数に応じて前記発振手段で前記搬送波周波数信号を制御発生させるとともに、前記局部発振手段で前記無線周波数信号が前記所定周波数となるように前記局部発振信号を制御発生させるように構成されている。
【００１５】
そして、発振手段から発生される搬送波周波数信号をマイク入力信号で振幅変調し、この変調信号から狭い通過帯域幅のフィルタで一方のサイドバンドを抽出し、この抽出信号に局部発振手段で発生される局部発振信号を混合して所定周波数の無線周波数信号とするＳＳＢ送信機において、予め前記請求項２記載のフィルタの所定帯域幅の帯域端周波数検出装置によって、前記搬送波周波数信号を前記第１と第２の周波数信号として、前記狭い通過帯域幅のフィルタの所定帯域幅の両側の帯域端周波数を検出するとともにこれらに応じたデータを記憶手段に記憶させ、さらに前記請求項２の中央演算手段は、前記記憶手段から前記データを読み出し、前記データから前記帯域端周波数に応じて前記発振手段で前記搬送波周波数信号を制御発生させるとともに、前記局部発振手段で前記無線周波数信号が前記所定周波数となるように前記局部発振信号を制御発生させるように構成しても良い。
【００１６】
また、本発明のＳＳＢ受信機は、受信された受信信号に局部発振手段で発生される局部発振信号を混合して周波数変換し、この周波数変換された信号から狭い通過帯域幅のフィルタで一方のサイドバンドを抽出し、この抽出信号を復調手段で復調用周波数発振手段で発生される復調用周波数信号と混合して前記抽出されたサイドバンドを復調するＳＳＢ受信機において、予め前記請求項１記載のフィルタの所定帯域幅の帯域端周波数検出装置により、標準信号発生手段から送信される標準信号を受信するとともにこれと混合する前記局部発振信号を調整して周波数変換された信号を前記第１と第２の周波数信号として、前記狭い通過帯域幅のフィルタの所定帯域幅の両側の帯域端周波数を検出し、さらに前記請求項１の中央演算手段は、前記帯域端周波数に応じて前記局部発振手段で前記局部発振信号を制御発生させるとともに、前記復調用周波数発振手段で前記復調用周波数信号を制御発生させるように構成されている。
【００１７】
そして、受信された受信信号に局部発振手段で発生される局部発振信号を混合して周波数変換し、この周波数変換された信号から狭い通過帯域幅のフィルタで一方のサイドバンドを抽出し、この抽出信号を復調手段で復調用周波数発振手段で発生される復調用周波数信号と混合して前記抽出されたサイドバンドを復調するＳＳＢ受信機において、予め前記請求項２記載のフィルタの所定帯域幅の帯域端周波数検出装置により、標準信号発生手段から送信される標準信号を受信するとともにこれと混合する前記局部発振信号を調整して周波数変換された信号を前記第１と第２の周波数信号として、前記狭い通過帯域幅のフィルタの所定帯域幅の両側の帯域端周波数を検出するとともにこれらに応じたデータを記憶手段に記憶させ、さらに前記請求項２の中央演算手段は、前記記憶手段から前記データを読み出し、前記データから前記帯域端周波数に応じて前記局部発振手段で前記局部発振信号を制御発生させるとともに、前記復調用周波数発振手段で前記復調用周波数信号を制御発生させるように構成しても良い。
【００１８】
さらに、前記標準信号を受信することなしに、前記局部発振手段で発生される前記局部発振信号をそのまままたは周波数変換して前記狭い通過帯域幅のフィルタに与えるようになし、この信号を前記帯域端周波数検出装置は前記第１と第２の周波数信号として前記狭い通過帯域幅のフィルタの所定帯域幅の両側の帯域端周波数を検出するように構成することもできる。
【００１９】
【発明の実施の形態】
以下、本発明のフィルタの所定帯域幅の帯域端周波数検出装置およびＳＳＢ送信機について、図１ないし図３を参照して説明する。図１は、本発明のフィルタの所定帯域幅の帯域端周波数検出装置の動作を説明するフローチャートの一例である。図２は、フィルタの所定帯域幅の帯域端周波数検出装置を用いたＳＳＢ送信機のブロック回路図の一例である。図３は、フィルタに対して所定帯域幅の周波数差を有する第１と第２の周波数信号が順次に変更されるのを説明する図である。
【００２０】
まず、図２を参照してＳＳＢ送信機の構造の一例につき説明する。図２において、搬送波発振手段１０から発生する搬送波周波数信号とマイク１２からのマイク入力信号が平衡変調器１４に与えられ、搬送波周波数信号がマイク入力信号で振幅変調される。この変調信号が狭い通過帯域幅の第１フィルタ１６に与えられ、ＵＳＢまたはＬＳＢの一方のサイドバンドが抽出されて第１混合器１８に与えられる。この第１混合器１８には、第１局部発振手段２０で発生される第１局部発振信号が与えられている。第１混合器１８の混合出力信号は、さらに第２混合器２２に与えられる。この第２混合器２２には、第２局部発振手段２４で発生される第２局部発振信号が与えられる。第２混合器２２の混合出力信号は、比較的に広い通過帯域幅の第２フィルタ２６に与えられて所定周波数の無線周波数信号が抽出される。この無線周波数信号は、励振増幅器２８および電力増幅器３０で適宜に増幅されてアンテナ３２から送信される。また、電力増幅器３０で増幅された無線周波数信号の一部は、パワー検出手段３４に与えられて無線周波数信号の大きさに応じた直流信号に変換出力され、ＡＬＣ回路とＡ／Ｄ変換器３６に与えられる。そして、Ａ／Ｄ変換器３６でデジタル信号に変換されて中央演算手段３８に与えられる。この中央演算手段３８には、記憶手段４０が接続されている。
【００２１】
そして、搬送波発振手段１０および第２局部発振手段２４は、電圧制御発振器を含むＰＬＬ回路からなり、中央演算手段３８からの制御信号により発生させる信号の周波数が制御調整される。また、中央演算手段３８には、Ａ／Ｄ変換器３６から与えられるデジタル信号の大きさを比較する比較手段の機能が含まれている。さらに、ＡＬＣ回路は、最終の電力増幅器３０に過大な入力が与えられないように制御する周知の技術であり、説明を省略する。
【００２２】
続いて、図２における狭い通過帯域幅の第１フィルタ１６の所定帯域幅の上下両側の帯域端周波数の検出につき、図１および図３を参照して説明する。まず、中央演算手段３８には、初期値として、第１フィルタ１６の所定中心周波数ｆcと所定帯域幅Ｂｗと許容誤差を考慮したフィルタの帯域端より外側位置となる周波数ｆsとステップ幅ｆpおよびステップ番号Ｎが設定される（ステップ１）。
ここで一例として、
ｆc＝９．０１１５ＭＨｚ，Ｂｗ＝２．３ＫＨｚ，
ｆs＝２００Ｈｚ，ｆp＝１０Ｈｚ，Ｎ＝０である。
【００２３】
そして、上記初期値に基づいて、
ＢＦＯ（−）＝ｆc−Ｂｗ／２−（ｆs−ｆp・Ｎ）
となる周波数信号が第１の周波数信号として発生されるように、中央演算手段３８は搬送波発生手段１０を制御する（ステップ２）。このＮ＝０におけるＢＦＯ（−）は、第１フィルタ１６の所定帯域幅の外である。かかるＢＦＯ（−）の第１の周波数信号を第１フィルタ１６に通過させ、その出力信号の大きさに応じた値ｐが、パワー検出手段３４とＡ／Ｄ変換器３６を介して中央演算手段３８に与えられ、これがＰ（−）として記憶手段４０に記憶される（ステップ３）。ここで、搬送波発振手段１０で発生された周波数信号に対して、第１と第２の混合器１８，２２で混合された信号が所定の無線周波数となるように、中央演算手段３８は第２局部発振手段２４を制御している。
【００２４】
また、ＢＦＯ（＋）＝ｆc＋Ｂｗ／２−（ｆs−ｆp・Ｎ）
となる周波数信号が第２の周波数信号として発生されるように、中央演算手段３８は搬送波発生手段１０を制御する（ステップ４）。この第２の周波数信号としてのＢＦＯ（＋）は、第１の周波数信号としてのＢＦＯ（−）に対して、所定帯域幅Ｂｗだけの差を有する。このＮ＝０におけるＢＦＯ（＋）は、第１フィルタ１６の所定帯域幅の内にある。かかるＢＦＯ（＋）の第２の周波数信号を第１フィルタ１６に通過させ、その出力信号の大きさに応じた値ｐが、中央演算手段３８に与えられ、Ｐ（＋）として記憶される（ステップ５）。
【００２５】
さらに、中央演算手段３８で記憶手段４０に先に記憶した値Ｐ（−）とＰ（＋）を読み出し、比較機能によりＰ（−）とＰ（＋）との大きさを比較する（ステップ６）。ここで、Ｐ（−）＞Ｐ（＋）であるならば、しかもＮ＝０（ステップ７）であるならば、初期値の設定または第１フィルタ１６の特性が異常であり、以後の動作を終了させる（ステップ８）。なぜならば、Ｎ＝０にあっては、ＢＦＯ（−）は第１フィルタ１６の帯域幅外であり、ＢＦＯ（＋）は帯域幅内であり、Ｐ（−）＜Ｐ（＋）でなければならない。ステップ６において、Ｐ（−）＞Ｐ（＋）でなければ、Ｎ≧２・ｆs／ｆpを判別し（ステップ９）、Ｎ≧２・ｆs／ｆpであれば異常であり、以後の動作を終了させる（ステップ８）。なぜならば、Ｎ≧２・ｆs／ｆpにあっては、ＢＦＯ（−）は第１フィルタ１６の帯域幅内であり、ＢＦＯ（＋）は帯域幅外であり、Ｐ（−）＞Ｐ（＋）でなければならない。そして、ステップ９において、Ｎ≧２・ｆs／ｆpでなければ、Ｎを１つ増加させ（ステップ１０）、ステップ２に戻る。
【００２６】
このようにして、Ｎを１つずつ順次に増加させて、ステップ２からステップ６およびステップ９，１０を繰り返して、第１と第２の周波数信号ＢＦＯ（−），ＢＦＯ（＋）は所定帯域幅の周波数差をもって、第１フィルタ１６の中心方向に向けて順次に変更される。すると、Ｎがある値α（図３参照）において、Ｐ（−）とＰ（＋）の大きさが反転し、ステップ６でＰ（−）＞Ｐ（＋）として判別される。すると、ステップ７ではＮは０でないので、Ｎを１つ前の値（Ｎ−１）としてこれを記憶し（ステップ１１）、検出動作を終了する（ステップ１２）。
【００２７】
ここで、第１の周波数信号ＢＦＯ（−）の大きさＰ（−）が第２の周波数信号ＢＦＯ（＋）の大きさＰ（＋）より大きくなって、比較結果が反転することで、ＢＦＯ（−）とＢＦＯ（＋）が第１フィルタ１６の所定帯域幅の上下両端の帯域端周波数より高い周波数側にずれたことが検出される。そこで、反転するＮの１つ前の状態でＢＦＯ（−）とＢＦＯ（＋）が第１フィルタ１６の所定帯域幅の上下両端の帯域端周波数に最も近い周波数として特定することができる。なお、比較結果が反転するＮにおけるＢＦＯ（−）とＢＦＯ（＋）をもって、第１フィルタ１６の所定帯域幅の両端の周波数として特定しても良い。
【００２８】
したがって、第１フィルタ１６の所定帯域幅でその上下両端における減衰量が同じとなる第１と第２の周波数信号が特定される。さらに、中央演算手段３８は特定された第１と第２の周波数信号の算術平均より中心の周波数を演算して求め、この周波数を第１フィルタ１６の所定帯域幅の中心周波数として特定することができる。
【００３０】
このようにして、予め第１フィルタ１６の上下両端で減衰量が同じとなる所定帯域幅の中心周波数が検出されるので、ＳＳＢ送信機として動作する場合に、中央演算手段３８は搬送波発振手段１０を第１フィルタ１６で抽出されるＵＳＢおよびＬＳＢが同じ周波数帯域となるように適宜に搬送波周波数信号を発生させるように制御することができる。そして、中央演算手段３８は、第１フィルタ１６で抽出されたＵＳＢまたはＬＳＢから所定の無線周波数信号が第２フィルタ２６で抽出され得るような第２局部発振信号が発生するように第２局部発振手段２４を制御すれば良い。
【００３１】
なお、上記ＳＳＢ送信機にあっては、第１の周波数信号と第２の周波数信号が第１フィルタ１６を通過した出力信号の大きさが反転するＮまたはＮ−１が検出データとして記憶されるように構成されているが、所定帯域幅の上下両端を示す第１と第２の周波数信号に応じたデータが記憶されていれば良く、両端の値として第１と第２の周波数信号自体を示すデータが記憶されても良い。そして、第１フィルタ１６を通過した出力信号の大きさを検出する構成として、上記説明では電力増幅器３０の後段に接続されるＡＬＣ回路に用いるパワー検出手段３４等を用いているが、これに限られず、第１フィルタ１６の直後にパワー検出手段相当の回路を接続し、さらにその後段にＡ／Ｄ変換器３６を接続するようにしても良い。
【００３２】
そして、フィルタの所定帯域幅の上下両端を示す第１と第２の周波数信号の検出精度を高めるためには、ＢＦＯ（−），ＢＦＯ（＋）が順次に変更されるステップ幅ｆpをより小さい値に設定すれば良い。そこで、第１回目の検出動作ではｆpを大きな値とし、第２回目の検出動作でｆpを小さい値に設定して大きさが反転する付近を細かく判別すれば、精度を極めて高いものとすることも可能である。そして、ｆsは、フィルタの実際の特性の誤差範囲を充分にカバーできる適宜な値に設定されれば良い。また、上記実施例では、ＢＦＯ（−）とＢＦＯ（＋）を低い周波数から順次に高い周波数に変更したが、逆に高い周波数から順次に低い周波数に変更しても良い。
【００３３】
さらに、パワー検出手段３４とＡ／Ｄ変換器３６および記憶手段４０は、中央演算手段３８と別個に設けても良いが、中央演算手段３８の一部でその作用がなされるように構成しても良い。そしてまた、比較手段は、中央演算手段３８の作用の一部であっても良いが、別個に設けられても良いことは勿論である。
【００３４】
また、ＳＳＢ送信機に組み込まれるフィルタの所定帯域幅の帯域端周波数の検出に限られず、フィルタ単体の所定帯域幅の上下両端の帯域端周波数を検出するために本発明の装置を用いても良い。かかる場合には、被検出対象となるフィルタに第１と第２の周波数信号を与える発振手段と、フィルタを通過した出力信号の大きさを検出するパワー検出手段と、発振手段を制御するとともにパワー検出手段から出力されるフィルタの出力信号の大きさに応じた信号を比較する中央演算手段で構成することができる。
【００３５】
次に、フィルタの所定帯域幅の帯域端周波数検出装置を用いたＳＳＢ受信機について、図４および図５を参照して説明する。図４は、ＳＳＢ受信機に用いられたフィルタの所定帯域幅の帯域端周波数検出装置の動作を説明するフローチャートの一例である。図５は、フィルタの所定帯域幅の帯域端周波数検出装置を用いたＳＳＢ受信機のブロック回路図の一例である。
【００３６】
まず、図５を参照してＳＳＢ受信機の構造の一例につき説明する。図５において、アンテナ５０で受信された信号が高周波増幅器５２で増幅されて第１混合器５４に与えられる。この第１混合器５４には、第１局部発振手段５６で発生される第１局部発振信号が与えられている。第１混合器５４の混合出力信号は、比較的に広い通過帯域幅の第１フィルタ５８に与えられ、第１局部発振信号と受信信号の差の周波数成分が抽出されて、第２混合器６０に与えられる。この第２混合器６０には、第２局部発振手段６２で発生される第２局部発振信号が与えられている。第２混合器６０の混合出力信号は、狭い通過帯域幅の第２フィルタ６４に与えられ、第１フィルタ５８で抽出された差の周波数成分と第２局部発振信号との差の周波数成分が抽出される。ここで、第２フィルタ６４により、ＵＳＢまたはＬＳＢの一方のサイドバンドが抽出される。そして、抽出されたサイドバンドは、中間周波数増幅器６６で増幅されて復調器６８に与えられる。この復調器６８には、復調用周波数発生手段７０で発生される復調用周波数信号が与えられていて、その復調信号が低周波増幅器７２で増幅されてスピーカー７４から拡声される。また、第２フィルタで抽出された信号の一部は、パワー検出手段７６に与えられて、抽出信号の大きさに応じた直流信号に変換され、Ａ／Ｄ変換器７８に与えられてデジタル信号に変換される。このデジタル信号が中央演算手段８０に与えられる。この中央演算手段８０には、記憶手段８２が接続されている。
【００３７】
そして、第１局部発振手段５６および復調用周波数発生手段７０は、電圧制御発振器を含むＰＬＬ回路からなり、中央演算手段８０からの制御信号により発生させる信号の周波数が制御調整される。また、中央演算手段８０には、Ａ／Ｄ変換器７８から与えられデジタル信号の大きさを比較する比較手段の機能が含まれている。さらに、かかるＳＳＢ受信機で標準信号を受信するために、標準信号発生装置９０と送信アンテナ９２が、ＳＳＢ受信機とは別個に準備される。
【００３８】
次に、図５における狭い通過帯域幅の第２フィルタ６４の所定帯域幅の上下両側の帯域端周波数の検出につき、図４を参照して説明する。まず、中央演算手段８０には、初期値として、第２フィルタ６４の所定中心周波数ｆcと所定帯域幅Ｂｗと許容誤差を考慮したフィルタの帯域端より外側位置となる周波数ｆsとステップ幅ｆpとステップ番号Ｎと標準信号発振装置９０から送信される標準信号周波数ＳＧおよび第２局部発振信号の周波数２ｎｄＬOが設定される（ステップ１）。
ここで一例として、
ｆc＝９．０１１５ＭＨｚ，Ｂｗ＝２．３ＫＨｚ，
ｆs＝２００Ｈｚ，ｆp＝１０Ｈｚ，Ｎ＝０，
ＳＧ＝１４．１０１５ＭＨｚ，２ｎｄＬO＝６０．０００ＭＨｚである。
【００３９】
そして、標準信号発生装置９０が動作されて、標準信号がＳＳＢ受信機に向けて送信される（ステップ２）。ここで、上記初期値に基づいて、
ＢＦＯ（−）＝ｆc−Ｂｗ／２−（ｆs−ｆp・Ｎ）
となる第１の周波数信号が第２フィルタ６４に与えられるように、中央演算手段８０は第１局部発振手段５６を制御して、第１局部発振信号１ｓｔＬOの周波数が、
１ｓｔＬO（−）＝ＳＧ＋２ｎｄＬO＋ＢＦＯ（−）であり、
１ｓｔＬO（−）＝ＳＧ＋２ｎｄＬO＋ｆc−Ｂｗ／２−（ｆs−ｆp・Ｎ）
となるように調整する（ステップ３）。このＮ＝０において第２フィルタ６４に与えられる第１の周波数信号ＢＦＯ（−）は所定帯域外である。そして、第２フィルタ６４の抽出信号の大きさに応じた値Ｐが、パワー検出手段７６とＡ／Ｄ変換手段７８を介して中央演算手段８０に与えられ、これがＰ（−）として記憶手段に記憶される（ステップ４）。
【００４０】
また、ＢＦＯ（＋）＝ｆc＋Ｂｗ／２−（ｆs−ｆp・Ｎ）
となる第２の周波数信号が第２フィルタ６４に与えられるように、中央演算手段８０は第１局部発振手段５６を制御して、第１局部発振信号１ｓｔＬOの周波数が、
１ｓｔＬO（＋）＝ＳＧ＋２ｎｄＬO＋ＢＦＯ（＋）であり、
１ｓｔＬO（＋）＝ＳＧ＋２ｎｄＬO＋ｆc＋Ｂｗ／２−（ｆs−ｆp・Ｎ）
となるように調整する（ステップ５）。このＮ＝０におけるＢＦＯ（＋）は、第２フィルタ６４の所定帯域内である。そして、第２フィルタ６４の抽出信号の大きさに応じた値Ｐが、中央演算手段８０に与えられて、これがＰ（＋）として記憶手段に記憶される（ステップ６）。
【００４１】
さらに、中央演算手段８０で記憶手段８２に先に記憶した値Ｐ（−）とＰ（＋）を読み出し、比較機能によりＰ（−）とＰ（＋）との大きさを比較する（ステップ７）。ここで、Ｐ（−）＞Ｐ（＋）であるならば、しかもＮ＝０（ステップ８）であるならば、初期値の設定または第２フィルタ６４の特性が異常であり、以後の動作を終了させる（ステップ９）。なぜならば、Ｎ＝０にあっては、ＢＦＯ（−）は第２フィルタ６４の帯域幅外であり、ＢＦＯ（＋）は帯域幅内であり、Ｐ（−）＜Ｐ（＋）でなければならない。ステップ７において、Ｐ（−）＞Ｐ（＋）でなければ、Ｎ≧２・ｆs／ｆpを判別し（ステップ１０）、Ｎ≧２・ｆs／ｆpであれば異常であり、以後の動作を終了させる（ステップ９）。なぜならば、Ｎ≧２・ｆs／ｆpにあっては、ＢＦＯ（−）は第２フィルタ６４の帯域幅内であり、ＢＦＯ（＋）は帯域幅外であり、Ｐ（−）＞Ｐ（＋）でなければならない。そして、ステップ１０において、Ｎ≧２・ｆs／ｆpでなければ、Ｎを１つ増加させ（ステップ１１）、ステップ３に戻る。
【００４２】
このようにして、Ｎを１つずつ順次に増加させて、ステップ３からステップ７およびステップ１０，１１を繰り返して、第１と第２の周波数信号ＢＦＯ（−），ＢＦＯ（＋）は所定帯域幅の周波数差をもって、第２フィルタ６４の中心方向に向けて順次に変更される。すると、Ｎがある値において、Ｐ（−）とＰ（＋）の大きさが反転し、ステップ７でＰ（−）＞Ｐ（＋）として判別される。すると、ステップ８ではＮは０でないので、Ｎを１つ前の値（Ｎ−１）としてこれを記憶し（ステップ１２）、検出動作を終了する（ステップ１３）。
【００４３】
ここで、第１の周波数信号ＢＦＯ（−）の大きさＰ（−）が第２の周波数信号ＢＦＯ（＋）の大きさＰ（＋）より大きくなって、比較結果が反転することで、ＢＦＯ（−）とＢＦＯ（＋）が第２フィルタ６４の所定帯域幅の上下両端の帯域端周波数より高い周波数側にずれたことが検出される。そこで、反転するＮの１つ前の状態でＢＦＯ（−）とＢＦＯ（＋）が第２フィルタ６４の所定帯域幅の上下両端の帯域端周波数に最も近い周波数として特定することができる。なお、比較結果が反転するＮにおけるＢＦＯ（−）とＢＦＯ（＋）をもって、第２フィルタ６４の所定帯域幅の両端の周波数として特定しても良い。
【００４４】
したがって、第２フィルタ６４の所定帯域幅でその上下両端における減衰量が同じとなる第１と第２の周波数信号が特定される。さらに、中央演算手段８０は特定された第１と第２の周波数信号の算術平均より中心の周波数を演算して求め、この周波数を第２フィルタ６４の所定帯域幅の中心周波数として特定することができる。ここで、中央演算手段８０は、１ｓｔＬO（−），１ｓｔＬO（＋）からＢＦＯ（−），ＢＦＯ（＋）を演算することは勿論である。
【００４５】
このようにして、予め第２フィルタ６４の上下両端で減衰量が同じとなる所定帯域幅の中心周波数が検出されるので、ＳＳＢ受信機として動作する場合に、中央演算手段８０は第１局部発振手段５６を第２フィルタ６４で抽出されるＵＳＢおよびＬＳＢが同じ周波数帯域となるように適宜に第１局部発振信号を発生させるように制御することができる。そして、中央演算手段８０は、第２フィルタ６４で抽出されたＵＳＢまたはＬＳＢを、復調器６８で適切に復調できる復調用周波数信号が発生されるように復調用周波数発生手段７０を制御する。
【００４６】
なお、上記ＳＳＢ受信機にあっては、受信機自体の回路を大幅に変更することなしに、第２フィルタ６４の所定帯域幅の帯域端周波数を検出するために、標準信号発生装置９０からの標準信号を用いている。そこで、標準信号発生装置９０がなければ、第２フィルタ６４の所定帯域幅の帯域端周波数の検出ができない。これは、経年変化により第２フィルタ６４の特性が変化するような場合に、ＳＳＢ受信機の一般需要者が簡単に調整できないことを意味する。そこで、予め周波数が明らかな無線周波数信号を標準信号として用いるようにしても良い。かかる場合には、当該無線周波数信号の周波数ＳＧを初期値として中央演算手段に需要者が適宜に入力できるようにすれば良い。
【００４７】
さらに、ＳＳＢ受信機の外部から受信により得られる標準信号を用いずに、ＳＳＢ受信機自体の回路に付加回路を設ける等で、第２フィルタ６４の所定帯域幅の帯域端周波数を検出することも可能である。
【００４８】
まず、第１混合器５４が、高周波増幅器５２からの受信信号が与えられていなくとも、第１局部発振手段５６から第１局部発振信号が与えられると、この第１局部発振信号を第１フィルタ５８に出力する構造であるならば、第１局部発振信号の周波数１ｓｔＬOを、
１ｓｔＬO（−）＝２ｎｄＬO＋ＢＦＯ（−）であり、
１ｓｔＬO（−）＝２ｎｄＬO＋ｆc−Ｂｗ／２−（ｆs−ｆp・Ｎ）
と、
１ｓｔＬO（＋）＝２ｎｄＬO＋ＢＦＯ（＋）であり、
１ｓｔＬO（＋）＝２ｎｄＬO＋ｆc＋Ｂｗ／２−（ｆs−ｆp・Ｎ）
となるように、中央演算手段８０は第１局部発振手段５６を制御調整すれば良い。そして、第１混合器５４の構造が、高周波増幅器５２からの受信信号が与えられていないと第１フィルタ５８に出力がなされないならば、第２フィルタ６４の所定帯域幅の帯域端周波数を検出する際に、第１局部発振信号を第１局部発振信号および高周波増幅器５２からの出力に代える信号として第１混合器５４に与えるようにしても良い。また、第１局部発振信号を第１混合器５４の後段に与えるようにしても良い。
【００４９】
上述のごとく、標準信号を用いずに、第２フィルタ６４の所定帯域幅の帯域端周波数を検出するならば、第１混合器５４による周波数変換が検出から省かれるので、標準信号の実際の周波数と初期値として設定された値ＳＧとのずれによる検出誤差が生じない。しかるに、かかる構成にあっても、第２混合器６０による周波数変換が検出に含まれ、第２局部発振信号の実際の周波数と初期値として設定された値２ｎｄＬOとのずれによる検出誤差が生じる。そこで、第１局部発振信号を直接的に第２フィルタ６４に与えるようにしても良い。この場合では、
１ｓｔＬO（−）＝ＢＦＯ（−）であり、
１ｓｔＬO（−）＝ｆc−Ｂｗ／２−（ｆs−ｆp・Ｎ）
と、
１ｓｔＬO（＋）＝ＢＦＯ（＋）であり、
１ｓｔＬO（＋）＝ｆc＋Ｂｗ／２−（ｆs−ｆp・Ｎ）
となるように、中央演算手段８０は第１局部発振手段５６を制御調整すれば良い。ここで、第１局部発振信号を第１混合器５４の後段または第２フィルタ６４に直接的に与える付加回路は、中央演算手段８０によって開閉制御されることは勿論である。
【００５０】
なお、上記実施例の説明では、ＳＳＢ送信機とＳＳＢ受信機を別々に説明したが、送信系統と受信系統の一部が共用されるＳＳＢ送受信機であっても良い。そして、狭い通過帯域幅のフィルタが共用されるならば、上述のＳＳＢ送信機またはＳＳＢ受信機のいずれか一方として当該フィルタの所定帯域幅の帯域端周波数を検出し、この検出に基づいて送信と受信の両系統を制御しても良く、またＳＳＢ送信機およびＳＳＢ受信機のそれぞれとして当該フィルタの所定帯域幅の帯域端周波数をそれぞれに検出し、送信系統と受信系統とをそれぞれの検出に基づいて制御しても良い。
【００５１】
【発明の効果】
以上説明したところから明らかなように、本発明のフィルタの所定帯域幅の帯域端周波数検出装置と当該装置を用いたＳＳＢ送信機およびＳＳＢ受信機は、以下のごとき格別な効果を奏する。
【００５２】
請求項１記載のフィルタの所定帯域幅の帯域端周波数検出装置にあっては、フィルタに、所定帯域幅の周波数差を有する第１と第２の周波数信号を順次に周波数を変更させてそれぞれ入力し、そのフィルタを通過した出力信号の大きさを比較して、所定帯域幅の上下両端で減衰量が同じとなる周波数を検出するので、フィルタの肩特性が上側と下側とで対称でなくても適正な所定帯域幅を特定することができる。
【００５３】
さらに、請求項２記載のフィルタの所定帯域幅の帯域端周波数検出装置にあっては、第１と第２の周波数信号を所定周波数から所定周波数幅で順次に変更していくので、第１と第２の周波数信号の特定を、周波数を変更したステップ数に応じたデータで行ない得る。そこで、このデータを記憶することで、必要によりフィルタの所定帯域幅の両端の周波数をこのデータから演算等することができる。
【００５４】
さらに、請求項３記載のフィルタの所定帯域幅の帯域端周波数検出装置にあっては、フィルタの上下両端で同じ減衰量となる所定帯域幅の中心周波数が検出できる。
【００５５】
また、請求項４記載のＳＳＢ送信機にあっては、狭い通過帯域幅のフィルタの実際の所定帯域幅の周波数に応じて搬送波周波数信号が調整されるので、このフィルタで抽出されるＵＳＢとＬＳＢの周波数帯域を同じとすることができ、受信側でＵＳＢとＬＳＢの音質が相違する等の不具合を生じない。
【００５６】
そして、請求項５記載のＳＳＢ送信機にあっては、請求項４記載のものと同等の効果を奏するとともに、狭い通過帯域幅のフィルタの所定帯域幅の上下両端の周波数を示すデータが記憶されているので、必要により読み出してこのデータに基づいて適宜に搬送波周波数信号を設定することが可能である。
【００５７】
また、請求項６および７記載のＳＳＢ受信機にあっては、狭い通過帯域幅のフィルタの実際の所定帯域幅の周波数に応じて局部発振信号が調整されるので、このフィルタで抽出されるＵＳＢとＬＳＢの周波数帯域を同じとすることができ、復調されたＵＳＢとＬＳＢの音質が相違する等の不具合を生じない。
【００５８】
そして、請求項８記載のＳＳＢ受信機にあっては、局部発振信号を用いて狭い通過帯域幅のフィルタの実際の所定帯域幅の周波数を検出できるので他の装置を必要なしに検出ができ、経年変化によりフィルタの特性が変化した場合に変化した所定帯域幅の周波数を検出するのに好都合である。
【図面の簡単な説明】
【図１】本発明のフィルタの所定帯域幅の帯域端周波数検出装置の動作を説明するフローチャートの一例である。
【図２】フィルタの所定帯域幅の帯域端周波数検出装置を用いたＳＳＢ送信機のブロック回路図の一例である。
【図３】フィルタに対して所定帯域幅の周波数差を有する第１と第２の周波数信号が順次に変更されるのを説明する図である。
【図４】ＳＳＢ受信機に用いられたフィルタの所定帯域幅の帯域端周波数検出装置の動作を説明するフローチャートの一例である。
【図５】フィルタの所定帯域幅の帯域端周波数検出装置を用いたＳＳＢ受信機のブロック回路図の一例である。
【符号の説明】
１０    搬送波発振手段
１４    平衡変調器
１６，５８    第１フィルタ
１８，５４    第１混合器
２０，５６    第１局部発振手段
２２，６０    第２混合器
２４，６２    第２局部発振手段
２６，６４    第２フィルタ
３４，７６    パワー検出手段
３６，７８    Ａ／Ｄ変換器
３８，８０    中央演算手段
４０，８２    記憶手段
５０，９２    アンテナ
６８    復調器
７０    復調用周波数発生手段
【図１】
0003652821.tif 000002
【図２】
0003652821.tif 000003
【図３】
0003652821.tif 000004
【図４】
0003652821.tif 000005
【図５】
0003652821.tif 000006